(57)【要約】      （修正有）【課題】酸素及び酸素負イオンの供給機能を備えた通気性材質を提供する。【解決手段】酸素及び酸素負イオンの供給機能を備えた材質は、酸素供給素材２０１と負イオン供給素材２０２を含む酸素及び酸素負イオンの供給機能を備えた材質２を通気性素材１で包み込んだもの、或いは、酸素供給素材を含む酸素供給機能を備えた材質を、負イオン供給素材を含む通気性材質で包み込んだものであり、これらの酸素供給素材２０１が発生させる酸素と、これらの負イオン供給素材２０２が発生させる負イオンが、さらに結びついて酸素負イオンを生成する。【選択図】図１
0003200152.tif 000002
【実用新案登録請求の範囲】
【請求項１】
酸素及び酸素負イオンの供給機能を備えた通気性材質であって、
酸素を供給する素材と負イオンを供給する素材によって構成されており、
この酸素供給素材は酸素を発生させて周囲の酸素濃度を上げ、
この負イオン供給素材は負イオンを発生させ、
この負イオンと酸素が結びついて酸素負イオンを生成させることを特徴とする、
酸素及び酸素負イオンの供給機能を備えた材質。
【請求項２】
請求項１において、酸素供給素材は、金属の過酸化物または金属の超酸化物によって構成されていることを特徴とする、酸素及び酸素負イオンの供給機能を備えた材質。
【請求項３】
請求項２において、この金属の過酸化物は、過酸化マグネシウム、過酸化カリウム、過酸化ナトリウム及び過酸化カルシウムによって構成されるグループから選ぶことを特徴とする、酸素及び酸素負イオンの供給機能を備えた材質。
【請求項４】
請求項２において、この金属の超酸化物は、超酸化カリウムまたは超酸化ナトリウムであることを特徴とする、酸素及び酸素負イオンの供給機能を備えた材質。
【請求項５】
請求項１において、負イオン供給素材が電気石であることを特徴とする、酸素及び酸素負イオンの供給機能を備えた材質。  
【請求項６】
請求項１において、酸素供給素材が、粉末状、顆粒状または繊維状であることを特徴とする、酸素及び酸素負イオンの供給機能を備えた材質。
【請求項７】
請求項１において、負イオン供給素材が、粉末状、顆粒状または繊維状であることを特徴とする、酸素及び酸素負イオンの供給機能を備えた材質。
【請求項８】
請求項１において、この酸素及び酸素負イオンの供給機能を備えた材質は、酸素供給素材と負イオン供給素材を、通気性素材で包み込んでいることを特徴とする、酸素及び酸素負イオンの供給機能を備えた材質。
【請求項９】
請求項１において、この酸素及び酸素負イオンの供給機能を備えた材質は、負イオン供給素材を含む通気性材質が、酸素供給素材を包み込んでいることを特徴とする、酸素及び酸素負イオンの供給機能を備えた材質。
【請求項１０】
請求項１において、この酸素及び酸素負イオンの供給機能を備えた材質は、さまざまな生活用品や装置に取り付けることができることを特徴とする、酸素及び酸素負イオンの供給機能を備えた材質。
【請求項１１】
請求項１０において、この生活用品または装置は、ガーゼ付き絆創膏、創傷被覆材、マスク、衣服、エアコンまたは空気洗浄機を含むことを特徴とする、酸素及び酸素負イオンの供給機能を備えた材質。
【考案の詳細な説明】
【技術分野】
【０００１】
本考案は一種の通気性材質、特に酸素及び酸素負イオンの供給機能を備えた通気性材質に関するものである。
【背景技術】
【０００２】
工業の発達と人口の増加にともない、環境汚染が日増しに深刻化し、空気の質も落ちてきており、室内の密閉空間や人が多くいる空間では、二酸化炭素が増加し、酸素含有量が減少している。酸素は人が生命を維持するのに必須であり、酸素が不足すると、人に倦怠感をもたらし、深刻な場合には大脳の働きを損ねる。よって身体により多くの酸素を供給する方法に、人々は関心をもっている。
【０００３】
酸素負イオンとは、マイナス電荷をもった一個以上の電子を有する酸素イオンのことである。空気は主に窒素、酸素、二酸化炭素、水蒸気から構成されている。その内訳は、窒素７８％、酸素２１％、二酸化炭素０．０３％で、そのうち酸素と二酸化炭素だけが電子と親和力をもつが、空気中における酸素の含有量は二酸化炭素の７００倍あることから、空気中に生成される負イオンのほとんどは酸素負イオンである。酸素負イオンは、空気中の酸素分子が自由電子と結合したものである。
【０００４】
空気分子は、高圧または強い電磁波の作用、すなわち、自然界の放電（落雷）現象、光電効果、噴水、瀑布の作用を受けて、空気を構成する分子が、原子核のいちばん外側を周回する電子を失う。こうして空気に電離現象が起き、原子核によって束縛されていた電子が解き放たれて自由電子となり、マイナスの電荷を帯びる。空気を構成する分子が電離してできた自由電子と結びつくのは、そのほとんどが酸素であるため、酸素負イオンと呼ばれる。
【０００５】
空気中における酸素負イオンの数は、空気の質と時刻によって変わってくる。瀑布の周囲では１立方センチ当たり１０，０００−２０，０００個、森林や海辺では１立方センチ当たり５，０００−１０，０００個、都市の公園内では１立方センチ当たり２００−１，０００個、そして、通風のいいオフィスでは１立方センチ当たり１００−４００個の酸素負イオンが存在するが、窓を閉め切ったオフィス内に酸素負イオンはほとんど存在しない。人は生活空間において、１立方センチ当たり１，０００個以上の酸素負イオンがあると、快適と感じる。
【０００６】
酸素負イオンは新陳代謝を促すのに不可欠の要素である。日本人科学者の飯野節夫の研究によると、酸素負イオンの質と量は人の代謝機能の良し悪しと直結しており、酸素負イオンが増えると、血液中のカルシウム、ナトリウムのイオン化率が上昇し、血液が弱アルカリ性になって、養分の吸収や老廃物の排除を助け、血液を浄化することから、人の健康に重大な影響を与える。
【０００７】
電気石は電流を発生させるので、電気石の周囲には電場が形成され、電場圏内の水分が電解されて、瀑布や森林といった自然界で発生する「負イオン」と同じ「電気石負イオン」を発生させ、人のイオンバランスを整える働きをする。負イオンは心身をリラックスさせ、細胞を活性化し、治癒の能力を向上させるとともに、身体の酸化を抑制し、老化を遅らせる働きをする。しかも負イオンには、脱臭、除湿、抗菌といった効果もある。
【０００８】
通常、人は一日のうち８０％の時間を室内で過ごすことから、室内の空気の質を確保することが急務である。よって、酸素及び酸素負イオンの供給機能を備えた通気性材質で、且つ、電源供給が不必要という条件下において、さまざまな機器に適用できて、空気の質を改善できる通気性材質を開発するというのが、本考案が解決しようとする重要課題である。
【考案の概要】
【考案が解決しようとする課題】
【０００９】
市販の酸素または酸素負イオン供給機器は、機器そのものを別途購入しなければならず、値段も高く、かなりの電力を消費する事実に鑑みて、長期にわたる思考と研究の末、本考案は酸素及び酸素負イオンを生成する通気性材質を提供する。エアー動力がない条件で、酸素及び負イオンを生成し、この両者が結びついてさらに酸素負イオンを生成して、空気の質を改善する通気性材質を提供する。
【課題を解決するための手段】
【００１０】
本考案の目的は酸素及び酸素負イオンの供給機能を備えた通気性材質を提供することにあり、この酸素及び酸素負イオンの供給機能を備えた通気性材質は、酸素を供給する素材と負イオンを供給する素材によって構成されており、この酸素供給素材は酸素を発生させて周囲の酸素濃度を上げ、この負イオン供給素材は負イオンを発生させ、この負イオンと酸素が結びついて酸素負イオンを生成させる。
【００１１】
前記の目的を達成するため、酸素供給素材は、金属の過酸化物または金属の超酸化物によって構成されている。
【００１２】
前記の目的を達成するため、この金属の過酸化物は、過酸化マグネシウム、過酸化カリウム、過酸化ナトリウム及び過酸化カルシウムによって構成されるグループから選ぶ。
【００１３】
前記の目的を達成するため、この金属の超酸化物は、超酸化カリウムまたは超酸化ナトリウムとする。
【００１４】
前記の目的を達成するため、負イオン供給素材は電気石とする。
【００１５】
前記の目的を達成するため、酸素供給素材は、粉末状、顆粒状または繊維状とする。
【００１６】
前記の目的を達成するため、この負イオン供給素材は、粉末状、顆粒状または繊維状とする。
【００１７】
前記の目的を達成するため、この酸素及び酸素負イオンの供給機能を備えた材質は、この酸素供給素材と負イオン供給素材を、通気性素材で包み込んでいる。
【００１８】
前記の目的を達成するため、この酸素及び酸素負イオンの供給機能を備えた材質は、この負イオン供給素材を含む通気性材質が、この酸素供給素材を包み込んでいる。
【００１９】
前記の目的を達成するため、この酸素及び酸素負イオンの供給機能を備えた材質は、さまざまな生活用品や装置に取り付けることができる。
【００２０】
前記の目的を達成するため、この生活用品または装置は、ガーゼ付き絆創膏、創傷被覆材、マスク、衣服、エアコンまたは空気洗浄機を含む。
【図面の簡単な説明】
【００２１】
【図１】本考案を示す図であり、酸素及び酸素負イオンの供給機能を備えた材質、すなわち、酸素供給素材と負イオン供給素材を通気性素材で包み込む様子を表す図である。
【図２】本考案を示す図であり、酸素供給素材の機能を有する材質を、負イオン供給素材を含む通気性素材で包み込む様子を表す図である。
【図３】本考案の望ましい実施例における使用図であり、酸素及び酸素負イオンの供給機能を備えた材質をエアコンフィルターネットに取り付けたときの様子を表している。
【図４】本考案の望ましい実施例における使用図であり、酸素及び酸素負イオンの供給機能を備えた材質をガーゼ付き絆創膏に取り付けたときの様子を表している。
【考案を実施するための形態】
【００２２】
以下において、実施例を示して本考案を説明するが、本考案は以下の実施例によって制限を受けるものではない。
【００２３】
本考案は酸素及び酸素負イオンの供給機能を備えた材質に関するもので、この酸素及び酸素負イオンの供給機能を備えた材質は、酸素と負イオンを発生させる機能をもつ（図１及び図２参照）。
この酸素及び酸素負イオンの供給機能を備えた材質は、図１に示すように、酸素供給素材（２０１）と負イオン供給素材（２０２）を含む酸素及び酸素負イオンの供給機能を備えた材質（２）を通気性素材（１）で包み込んだもの、或いは図２に示すように、酸素供給素材（４０１）を含む酸素供給機能を備えた材質（４）を、負イオン供給素材を含む通気性材質（３）で包み込んだものであり、これらの酸素供給素材（２０１、４０１）が発生させる酸素と、これらの負イオン供給素材（２０２、３）が発生させる負イオンが、さらに結びついて酸素負イオンを生成する。
図３及び図４に示すように、この酸素及び酸素負イオンの供給機能を備えた材質は、エアコン（５）のフィルター（６）またはガーゼ付き絆創膏（７）の内層といった生活用品や装置に取り付けることで、周囲の酸素と酸素負イオンの濃度を上昇させる働きをする。
【００２４】
実施例１
【００２５】
過酸化マグネシウムが空気中の水蒸気と結びついて酸素を発生させる化学反応
【００２６】
２ＭｇＯ２  ＋  ２Ｈ２Ｏ  →  ２Ｍｇ（ＯＨ）２  ＋  Ｏ２
【００２７】
過酸化マグネシウムは水と結びついて、水酸化マグネシウムと酸素を生成するので、空気中の水蒸気は本考案における機能を有する材質の中の過酸化マグネシウムと反応して酸素を生成し、周囲の水分を減少させて酸素を増加させる働きをする。
【００２８】
実施例２
【００２９】
過酸化カルシウムが空気中の水蒸気と結びついて酸素を発生させる化学反応
【００３０】
２ＣａＯ２  ＋  ２Ｈ２Ｏ  →  ２Ｃａ（ＯＨ）２  ＋Ｏ２
【００３１】
過酸化カルシウムは水と結びついて、水酸化カルシウムと酸素を生成するので、空気中の水蒸気は本考案における機能を有する材質の中の過酸化カルシウムと反応して酸素を生成し、周囲の水分を減少させて酸素を増加させる働きをする。
【００３２】
実施例３
【００３３】
過酸化カリウムが空気中の水蒸気と結びついて酸素を発生させる化学反応
【００３４】
Ｋ２Ｏ２  ＋  ２Ｈ２Ｏ  →  ２ＫＯＨ  ＋  Ｏ２
【００３５】
過酸化カリウムは水と結びついて、水酸化カリウムと酸素を生成するので、空気中の水蒸気は本考案における機能を有する材質の中の過酸化カリウムと反応して酸素を生成し、周囲の水分を減少させて酸素を増加させる働きをする。
【００３６】
実施例４
【００３７】
超酸化カリウムが空気中の水蒸気と結びついて酸素を発生させる化学反応
【００３８】
２ＫＯ２  ＋  ２Ｈ２Ｏ  →  ２ＫＯＨ  ＋  Ｈ２Ｏ２＋  Ｏ２
【００３９】
超酸化カリウムは水と結びついて、水酸化カリウムと酸素を生成するので、空気中の水蒸気は本考案における機能を有する材質の中の超酸化カリウムと反応して酸素を生成し、周囲の水分を減少させて酸素を増加させる働きをする。
【００４０】
実施例５
【００４１】
過酸化マグネシウムが空気中の水蒸気と結びついて酸素を発生させる化学反応
【００４２】
２ＭｇＯ２  ＋  ２Ｈ２Ｏ  →  ２Ｍｇ（ＯＨ）２  ＋  Ｏ２
【００４３】
過酸化マグネシウムは水と結びついて、水酸化マグネシウムと酸素を生成するので、皮膚の傷口から滲み出た体液の水分は、本考案における機能を有する材質の中の過酸化マグネシウムと反応して酸素を生成し、周囲の水分を減少させて酸素を増加させる働きをする。
【００４４】
実施例６
【００４５】
マイナスの電荷は、酸素と結びついて酸素負イオンを形成する。
【００４６】
ｅ−  ＋  Ｏ２  →  Ｏ２−
【００４７】
マイナスの電荷は酸素と結びついて酸素負イオンになるので、電気石から発生するマイナスの電荷は、空気中の酸素と反応して酸素負イオンを生成し、周囲の酸素負イオンの濃度を上昇させる働きをする。
【００４８】
上述の詳細な説明は本考案における実現可能な実施例の具体的説明であり、これらの実施例は本考案の請求項に制限を加えるものではなく、本考案の趣旨に従い、適度な修飾や変化を加えることで同等の効果を得た場合は、以下における本考案の請求項の保護範囲内とする。
【００４９】
上述の複数の機能や働きは、新規性、進歩性という法律上の登録要件を満たしていると思われることから、ここに法に従って出願する。
【符号の説明】
【００５０】
１      通気性素材
２      酸素及び酸素負イオンの供給機能を備えた材質
２０１  酸素供給素材
２０２  負イオン供給素材
３      負イオン供給素材を含む通気性材質
４      酸素供給機能を備えた材質
５      エアコン
６      フィルター
７      ガーゼ付き絆創膏
【図１】
0003200152.tif 000003
【図２】
0003200152.tif 000004
【図３】
0003200152.tif 000005
【図４】
0003200152.tif 000006
【手続補正書】
【提出日】平成27年7月31日(2015.7.31)
【手続補正１】
【補正対象書類名】実用新案登録請求の範囲
【補正対象項目名】全文
【補正方法】変更
【補正の内容】
【実用新案登録請求の範囲】
【請求項１】
酸素及び酸素負イオンの供給機能を備えた通気性材質であって、
酸素を供給する素材と負イオンを供給する素材によって構成されており、
この酸素供給素材は酸素を発生させて周囲の酸素濃度を上げ、
この負イオン供給素材は負イオンを発生させ、
この負イオンと酸素が結びついて酸素負イオンを生成させることを特徴とする、
酸素及び酸素負イオンの供給機能を備えた材質。
【請求項２】
請求項１において、酸素供給素材は、金属の過酸化物または金属の超酸化物によって構成されていることを特徴とする、酸素及び酸素負イオンの供給機能を備えた材質。
【請求項３】
請求項２において、この金属の過酸化物は、過酸化マグネシウム、過酸化カリウム、過酸化ナトリウム及び過酸化カルシウムによって構成されるグループから選ぶことを特徴とする、酸素及び酸素負イオンの供給機能を備えた材質。
【請求項４】
請求項２において、この金属の超酸化物は、超酸化カリウムまたは超酸化ナトリウムであることを特徴とする、酸素及び酸素負イオンの供給機能を備えた材質。
【請求項５】
請求項１において、負イオン供給素材が電気石であることを特徴とする、酸素及び酸素負イオンの供給機能を備えた材質。  
【請求項６】
請求項１において、酸素供給素材が、粉末状、顆粒状または繊維状であることを特徴とする、酸素及び酸素負イオンの供給機能を備えた材質。
【請求項７】
請求項１において、負イオン供給素材が、粉末状、顆粒状または繊維状であることを特徴とする、酸素及び酸素負イオンの供給機能を備えた材質。
【請求項８】
請求項１において、この酸素及び酸素負イオンの供給機能を備えた材質は、酸素供給素材と負イオン供給素材を、通気性素材で包み込んでいることを特徴とする、酸素及び酸素負イオンの供給機能を備えた材質。
【請求項９】
請求項１において、この酸素及び酸素負イオンの供給機能を備えた材質は、負イオン供給素材を含む通気性材質が、酸素供給素材を包み込んでいることを特徴とする、酸素及び酸素負イオンの供給機能を備えた材質。